(57)【要約】【課題】簡単な構成で、始動コンデンサが別置であっても放電灯の有無を検出でき、放電灯がない場合や断線ランプが装着された場合にインバータの故障を防止することができる放電灯点灯装置を供給する。【解決手段】直流電源Ｅから供給される直流を高周波電流に変換するインバ−タ回路ＩＶ、インバ−タ回路ＩＶに接続されたチョ−クコイルＴ１、チョークコイルＴ１に放電灯Ｌａを介して接続された結合コンデンサＣ１１、始動コンデンサＣ１２からなる放電灯負荷回路及びインバータ回路ＩＶを駆動する駆動回路１、放電灯Ｌａの有無又は放電灯Ｌａの電極の断線の有無を結合コンデンサの電圧で検出し、この検出電圧に基づいて放電灯Ｌａがないとき又は電極が断線しているとき、駆動回路１を停止させるランプ検出回路２を備える。【選択図】        図１
2004303530.tif 000002
【特許請求の範囲】
【請求項１】
直流電源と、この直流電源から供給される直流を高周波電流に変換する一対のスイッチング素子を有するインバ−タ回路と、このインバ−タ回路に接続されたチョ−クコイル、このチョークコイルに放電灯を介して接続された結合コンデンサ、始動コンデンサからなる放電灯負荷回路及び上記インバータ回路の上記スイッチング素子を駆動する駆動回路と、を備えた放電灯点灯装置において、
上記直流電源を投入したときに、上記放電灯の有無又は上記放電灯の電極の断線の有無を上記結合コンデンサの電圧で検出し、この検出電圧に基づいて上記放電灯がないとき又は上記電極が断線しているとき、上記駆動回路を停止させる放電灯検出回路を備えたことを特徴とする放電灯点灯装置。
【請求項２】
直流電源と、この直流電源から供給される直流を高周波電流に変換する一対のスイッチング素子を有するインバ−タ回路と、このインバ−タ回路に接続されたチョ−クコイル、このチョークコイルに放電灯を介して接続された結合コンデンサ、始動コンデンサからなる放電灯負荷回路、上記チョークコイルに設けられ、電流制限素子を介して上記一対のスイッチング素子に各々並列に接続された副巻線を有し、この副巻き線からの出力電圧で上記一対のスイッチング素子を駆動する駆動回路及び、上記駆動回路に駆動電力を発生させる起動回路を備えた放電灯点灯装置において、
上記直流電源を投入したときに、上記放電灯の有無又は上記放電灯の電極の断線の有無を上記結合コンデンサの電圧で検出し、この検出電圧に基づいて上記放電灯がないとき又は上記電極が断線しているとき、上記起動回路を遮断させて上記駆動回路を停止させる放電灯検出回路を備えたことを特徴とする放電灯点灯装置。
【請求項３】
放電灯検出回路は、起動回路を遮断するスイッチを起動回路に直列に備えたことを特徴とする請求項２記載の放電灯点灯装置。
【請求項４】
放電灯検出回路は、起動回路を遮断するスイッチを起動回路に並列に備えたことを特徴とする請求項２記載の放電灯点灯装置。
【請求項５】
放電灯の状態を検出する保護回路を備え、放電灯検出回路のスイッチに代えて、上記保護回路のスイッチを共用することを特徴とする請求項４記載の放電灯点灯装置。
【請求項６】
始動コンデンサが放電灯から離された場所に設置されることを特徴とする請求項１〜５のいずれかに記載の放電灯点灯装置。
【発明の詳細な説明】
【０００１】
【発明の属する技術分野】
この発明は、放電灯を点灯する放電灯点灯装置に係り、特に、放電灯の有無、または、断線を検出し、インバータ回路の発振を停止させるようにした放電灯点灯装置に関するものである。
【０００２】
【従来の技術】
従来の放電灯においては、ランプ検出回路は、出力回路に放電灯が取り付けられているか否かを検出し、発振停止回路は、このランプ検出回路の検出結果が放電灯が取り付けられていないことを検出した場合に第１及び第２のスイッチング手段のオン・オフによる発振の停止を行うようになっている。これにより、放電灯を取り外した状態では、スイッチング素子の発振が停止し、放電灯を取り外した状態から放電灯を取り付けることにより、スイッチング素子の発振停止を解除することができるようにしている（例えば特許文献１）。
【０００３】
【特許文献１】
特開平８−２７３８５９号公報（段落００３３〜００５９、図１）。
【０００４】
【発明が解決しようとする課題】
従来の放電灯点灯装置においては、ランプ検出回路は放電灯の電極間に接続された始動コンデンサの直列回路の接続点から検出している。、
一方、蛍光灯スタンド等で始動コンデンサが別置される場合は、ランプの両電極と本体基板との間の配線が多くなるので、工作性からランプの両電極に接続される抵抗も省略されるのが一般的である。このため、検出箇所が限られ、従来例のような検出箇所ではランプの有無の検出をすることができなかった。従って、無負荷状態でインバータが発振し不要な高電圧が発生してインバータが故障するという問題があった。更に、断線したランプを強制的に点灯させるため、点灯時等に高圧パルス等が発生し、インバータに不具合が生じるという問題があった。また、ランプ検出ができたとしても駆動回路内に設置されている、制御回路に複雑な論理回路やマイコン等を使用して、インバータを間歇発振させるなど、複雑な制御をして検出をする必要があるという問題があった。
【０００５】
この発明は上記のような問題点を解消するためになされたもので、簡単な構成で、小形で安価な部品を用いて、始動コンデンサが別置であっても放電灯の有無を検出でき、放電灯がない場合に不要な発振によりインバータの故障を防止できると共に、断線ランプが装着された場合に強制的に点灯させようとして高電圧が印加されることによるインバータの故障を防止することができる放電灯点灯装置を供給することを目的とする。
【０００６】
【課題を解決するための手段】
この発明に係る放電灯点灯装置は、直流電源と、この直流電源から供給される直流を高周波電流に変換するインバ−タ回路と、このインバ−タ回路に接続されたチョ−クコイル、このチョークコイルに放電灯を介して接続された結合コンデンサ、始動コンデンサからなる放電灯負荷回路及び上記インバータ回路のスイッチング素子を駆動する駆動回路と、を備えた放電灯点灯装置において、
上記直流電源を投入したときに、上記放電灯の有無又は上記放電灯の電極の断線の有無を上記結合コンデンサの電圧で検出し、この検出電圧に基づいて上記放電灯がないとき又は上記電極が断線しているとき、上記駆動回路を停止させるランプ検出回路を備えたものである。
【０００７】
【発明の実施の形態】
実施の形態１．
図１はこの発明の実施の形態１を示す放電灯点灯装置の構成図である。図において放電灯点灯装置は、直流電源Ｅ、直流電源Ｅに接続された一対のＭＯＳ−ＦＥＴ  Ｑ０１、Ｑ０２（以下、スイッチング素子Ｑ０１、Ｑ０２という）を備え、直流電源Ｅの直流電流をスイッチングして高周波電圧に変換するインバータ回路ＩＶ、インバータ回路ＩＶのスイッチング素子Ｑ０１、Ｑ０２を駆動する駆動回路１、このインバ−タ回路ＩＶに接続されたチョ−クコイルＴ１、このチョークコイルＴ１に蛍光灯等の放電灯Ｌａを介して接続された結合コンデンサＣ１１、始動コンデンサＣ１２からなる放電灯負荷回路、電源Ｅの正極とスイッチング素子Ｑ０１、Ｑ０２とチョ−クコイルＴ１の接続点に接続された抵抗Ｒ０４、放電灯Ｌａの電極ｂと結合コンデンサＣ１１の接続点と直流電源Ｅの正極及び負極間に各々接続されたダイオードＤ０５、Ｄ０６及び放電灯の有無又は電極断線を検出するランプ検出回路２からなる。なお、始動コンデンサＣ１２は放電灯Ｌａから離された場所に別置されている。
【０００８】
放電灯検出回路であるランプ検出回路２は、結合コンデンサＣ１１に並列に接続された抵抗Ｒ１００、Ｒ１０１の直列回路からなり、抵抗Ｒ１００、Ｒ１０１の接続点が駆動回路１に接続されている。
【０００９】
次に、動作を説明する。直流電源Ｅを投入すると抵抗Ｒ０４、チョ−クコイルＴ１、放電灯Ｌａの電極ａ、始動コンデンサＣ１２、放電灯Ｌａの電極ｂ、結合コンデンサＣ１１の経路で電流が流れる。このとき、正常な放電灯Ｌａが有るときは、結合コンデンサＣ１１の電圧を抵抗Ｒ１００、Ｒ１０１で分圧しその検出電圧を駆動回路１に出力し、駆動回路１を動作させインバータ回路ＩＶを発振させる。
【００１０】
一方、放電灯Ｌａが無かったり、電極ａ、ｂのいずれかが断線してると、結合コンデンサＣ１１には電流が流れないため、結果としてコンデンサＣ１１には電圧が発生せず、抵抗Ｒ１００、Ｒ１０１による分圧電圧も発生しないため、駆動回路１に検出電圧の出力がされないため駆動回路１は動作せず、インバータ回路ＩＶは発振しない。
【００１１】
以上のように、始動コンデンサ１２が別置であっても、始動時に、放電灯Ｌａの有無を検出でき、放電灯Ｌａがない場合に不要な発振によりインバータ回路ＩＶの故障を防止できると共に、断線した放電灯Ｌａが装着された場合に強制的に点灯させようとして高電圧が印加されることによるインバータ回路ＩＶの故障を防止することができる。
また、高価な素子を使用することなく、また、複雑な制御をすること無く放電灯Ｌａの有無の検出が可能であり、低コスト化ができる。
【００１２】
なお、本実施の形態は、始動コンデンサＣ１２が別置の場合を示したが、始動コンデンサＣ１２が別置でない場合も、同様な効果を得ることができるが、放電灯Ｌａの両電極ａ、ｂ間に抵抗が接続できるため、検出箇所は本実施の形態とは別の箇所でも可能である。一方、始動コンデンサＣ１２が別置の場合は放電灯Ｌａの両電極ａ、ｂ間に抵抗が接続されないのが一般的であり、本実施の形態のような箇所に限られるが、上記のように十分な効果を上げることができる。
【００１３】
実施の形態２．
図２はこの発明の実施の形態２を示す放電灯点灯装置の構成図である。
図において実施の形態１の図１と同一または相当部分には同一の符号を付し説明を省略する。
駆動回路１ａはチョークコイルＴ１に設けられ、電流制限素子である抵抗Ｒ０５を介してスイッチング素子Ｑ０１に並列に接続された副巻線Ｔ１ａと、ゲート保護用のツェナーダイオードＤＺ１、ＤＺ２から構成される。
駆動回路１ｂはチョークコイルＴ１に設けられ、電流制限素子である抵抗Ｒ０６を介してスイッチング素子Ｑ０２に並列に接続された副巻線Ｔ１ｂと、ゲート保護用のツェナーダイオードＤＺ３、ＤＺ４から構成される。
【００１４】
起動回路３は、電源投入により充電が開始され、所定の電圧になったときスイッチング素子Ｑ０１、または、Ｑ０２をオンさせる。
【００１５】
ランプ検出回路２は、結合コンデンサＣ１１の電圧を検出し、この検出電圧に基づいて放電灯Ｌａがないとき又は上記電極が断線しているとき、起動回路３の遮断手段に遮断信号を出力する。
【００１６】
次に、動作を説明する。直流電源Ｅを投入すると抵抗Ｒ０４、チョ−クコイルＴ１、放電灯Ｌａの電極ａ、始動コンデンサＣ１２、放電灯Ｌａの電極ｂ、結合コンデンサＣ１１の経路で電流が流れる。このとき、正常な放電灯Ｌａが有るときは、結合コンデンサＣ１１に電圧が発生し、ランプ検出回路２はその電圧によって信号を出力し、その信号出力により、起動回路３が起動し、スイッチング素子Ｑ０１，Ｑ０２が駆動されインバータ回路ＩＶの発振が継続する。
【００１７】
一方、放電灯Ｌａが無かったり、電極が断線していたりすると、電流が流れないため、結合コンデンサＣ１１には電圧が発生せず、ランプ検出回路２の出力がないので、起動回路３が起動せず、スイッチング素子Ｑ０１，Ｑ０２が駆動されず、インバータ回路ＩＶの発振が開始されない。
【００１８】
以上のように、放電灯Ｌａの有無を検出でき、放電灯Ｌａがない場合に不要な発振によりインバータ回路ＩＶの故障を防止できると共に、断線した放電灯Ｌａが装着された場合に強制的に点灯させようとして高電圧が印加されることによるインバータ回路ＩＶの故障を防止することができる。
また、高価な素子を使用することなく、また、複雑な制御をすること無く放電灯Ｌａの有無の検出が可能であり、低コスト化ができる。
【００１９】
実施の形態３．
本実施の形態は実施の形態２のランプ検出回路と起動回路を具体的に示すものである。
図３はこの発明の実施の形態３を示す放電灯点灯装置の回路図である。
図において実施の形態２の図２と同一または相当部分には同一の符号を付し説明を省略する。
【００２０】
起動回路３はツェナーダイオードＤＺ、抵抗Ｒ０３及びコンデンサＣ０５の
の直列回路がランプ検出回路２のスイッチを介して電源Ｅの負極とスイッチング素子Ｑ０１、Ｑ０２の接続点の間に接続され、抵抗Ｒ０３とコンデンサＣ０５の接続点とスイッチング素子のゲート間に接続された双方性ダイオードＴＤ１から構成されている。
【００２１】
ランプ検出回路２は、結合コンデンサＣ１１に並列に接続された抵抗Ｒ１００、Ｒ１０１の直列回路と、ベースが抵抗Ｒ１００とＲ１０１の接続点に、コレクタが起動回路３のコンデンサＣ０５に、エミッタが電源Ｅの負極に接続されたトランジスタＱ０３と、トランジスタＱ０３のコレクタとエミッタ間に接続されたダイオードから構成される。トランジスタＱ０３とダイオードはスイッチであり、上記のように起動回路３に直列に設けられている。
【００２２】
次に、動作を説明する。直流電源Ｅを投入すると抵抗Ｒ０４、チョ−クコイルＴ１、放電灯Ｌａの電極ａ、始動コンデンサＣ１２、放電灯Ｌａの電極ｂ、結合コンデンサＣ１１の経路で電流が流れる。このとき、正常な放電灯Ｌａが有るときは、結合コンデンサＣ１１に電圧が発生し、この結合コンデンサＣ１１の電圧を抵抗Ｒ１００、Ｒ１０１で分圧しその検出電圧でトランジスタＱ０３をオンさせ、起動回路３を導通させるのでコンデンサＣ０５に電荷が溜り、起動回路３が起動し、駆動回路１ａ、１ｂに駆動電力を発生させ、スイッチング素子が駆動されインバータ回路ＩＶの発振が継続する。
【００２３】
一方、放電灯Ｌａが無かったり、電極が断線していたりすると、電流が流れないため、結合コンデンサＣ１１には電圧が発生せず、Ｑ０３はオンせず起動回路３が導通せず、コンデンサＣ０５に電荷が溜まらないため、起動回路３は起動せず、駆動回路１ａ、１ｂに駆動電力が発生せず、インバータ回路ＩＶは発振にいたらない。
【００２４】
次に、正常な放電灯Ｌａが有るときのインバータ回路ＩＶの発振動作について説明すると、直流電源Ｅが投入されると、電源Ｅ、抵抗Ｒ０４、ツェナーダイオードＤＺ、抵抗Ｒ０３、コンデンサＣ０５、電源Ｅの経路で電流が流れ、コンデンサＣ０５に充電される。そして、この充電電圧が所定の値となると双方性ダイオードＴＤ１からスイッチング素子Ｑ０２のゲートに電圧が印加され、スイッチング素子Ｑ０２がオンとなる。このとき、既に電源Ｅ、抵抗Ｒ０４、チョークコイルＴ１、放電灯電極ａ、始動コンデンサＣ１２、放電灯電極ｂ、結合コンデンサＣ１１、電源Ｅと電流が流れ、結合コンデンサＣ１１が充電されているので、結合コンデンサＣ１１、放電灯電極ｂ、始動コンデンサＣ１２、放電灯電極ａ、チョークコイルＴ１、スイッチング素子Ｑ０２、結合コンデンサＣ１１の経路で電流が流れる。
【００２５】
このとき、チョークコイルＴ１の副巻線Ｔ１ａに電流が流れ、スイッチング素子Ｑ０１のゲートに電圧が印加され、スイッチング素子Ｑ０１がオンする。また、副巻線Ｔ１ｂには逆方向の電流が流れ、スイッチング素子Ｑ０２のゲートに電圧が低下し、スイッチング素子Ｑ０２がオフする。
スイッチング素子Ｑ０１がオンすると、電源Ｅの正極、スイッチング素子Ｑ０１、チョークコイルＴ１、放電灯電極ａ、始動コンデンサＣ１２、放電灯電極ｂ、結合コンデンサＣ１１、電源Ｅの負極の経路で電流が流れ、副巻線Ｔ１ｂに電流が流れ、スイッチング素子Ｑ０２がオンする。
そして、また、最初の電流経路になり、上記の順序を繰り返し、スイッチング素子Ｑ０１、Ｑ０２がオン、オフを繰り返しインバータ回路ＩＶが発振する。
【００２６】
以上のように、放電灯Ｌａの有無を検出でき、放電灯Ｌａがない場合に不要な発振によりインバータ回路ＩＶの故障を防止できると共に、断線した放電灯Ｌａが装着された場合に強制的に点灯させようとして高電圧が印加されることによるインバータ回路ＩＶの故障を防止することができる。
また、高価な素子を使用することなく、また、複雑な制御をすること無く放電灯Ｌａの有無の検出が可能であり、低コスト化ができる。
【００２７】
実施の形態４．
本実施の形態は実施の形態２のランプ検出回路と起動回路を具体的に示すものである。
図４はこの発明の実施の形態４を示す放電灯点灯装置の回路図である。
図において実施の形態２の図２と同一または相当部分には同一の符号を付し説明を省略する。
【００２８】
起動回路３はツェナーダイオードＤＺ、抵抗Ｒ０３及びコンデンサＣ０５のの直列回路が電源Ｅの負極とスイッチング素子Ｑ０１、Ｑ０２の接続点の間に接続され、抵抗Ｒ０３とコンデンサＣ０５の接続点とスイッチング素子のゲート間に接続された双方性ダイオードＴＤ１から構成されている。
【００２９】
ランプ検出回路２は、結合コンデンサＣ１１に並列に接続された抵抗Ｒ１００、Ｒ１０１の直列回路と、抵抗１０１に並列接続されたコンデンサＣ１００と、電源Ｅの正極と負極間に接続された抵抗Ｒ１０２、Ｒ１０３の直列回路と、ベースが抵抗Ｒ１００、Ｒ１０１の接続点に、エミッタが電極Ｅの負極に、コレクタが抵抗Ｒ１０２、Ｒ１０３接続点に接続されたトランジスタＱ１００と、ベースが抵抗Ｒ１０２、Ｒ１０３の接続点に、エミッタが電源Ｅの負極に、コレクタが抵抗Ｒ１０４を介して起動回路３の抵抗Ｒ０３及びコンデンサＣ０５の接続点と双方性ダイオードＴＤ１との接続点に接続されたスイッチであるトランジスタＱ１０１から構成される。このように、スイッチは起動回路３に並列に設けられている。
【００３０】
次に、動作を説明する。直流電源Ｅを投入すると抵抗Ｒ０４、チョ−クコイルＴ１、放電灯Ｌａの電極ａ、始動コンデンサＣ１２、放電灯Ｌａの電極ｂ、結合コンデンサＣ１１の経路で電流が流れる。このとき、結合コンデンサＣ１１に電圧が発生し、この結合コンデンサＣ１１の電圧を抵抗Ｒ１００、Ｒ１０１で分圧しその検出電圧でトランジスタＱ１００をオン、オフさせることにより、起動回路３をオンオフさせている。
【００３１】
正常な放電灯Ｌａが有るときは、結合コンデンサＣ１１に発生した電圧を抵抗Ｒ１００、Ｒ１０１で分圧しその検出電圧でトランジスタＱ１００がオンし、抵抗Ｒ１０３の電圧、すなわち、トランジスタＱ１０１のベース電圧はトランジスタＱ１００により、０電位となるため、トランジスタＱ１０１がオフとなり、起動回路３の双方性ダイオ−ドＴＤ１にはコンデンサＣ０５より起動するのに十分な電圧が印加され起動回路３が起動し、インバータ回路ＩＶの発振が継続する。
【００３２】
一方、放電灯Ｌａが無かったり、電極が断線していたりすると、電流が流れないため、結合コンデンサＣ１１には電圧が発生せず抵抗Ｒ１００、Ｒ１０１の分圧された検出電圧が発生しないためトランジスタＱ１００がオフし、抵抗Ｒ１０２を介して電圧はトランジスタＱ１０１のベースに印加されるため、トランジスタＱ１０１がオン状態となり双方性ダイオードＴＤ１に印加される電圧は双方性ダイオードＴＤ１がオンするのに必要な電圧にならず起動回路３は動作しないため、インバータ回路ＩＶは発振にいたらない。
【００３３】
以上のように、放電灯Ｌａの有無を検出でき、放電灯Ｌａがない場合に不要な発振によりインバータ回路ＩＶの故障を防止できると共に、断線した放電灯Ｌａが装着された場合に強制的に点灯させようとして高電圧が印加されることによるインバータ回路ＩＶの故障を防止することができる。
また、高価な素子を使用することなく、また、複雑な制御をすること無く放電灯Ｌａの有無の検出が可能であり、低コスト化ができる。
【００３４】
実施の形態５．
本実施の形態は実施の形態４に示したランプ検出回路にスイッチを設けずに、保護回路のスイッチ機能を兼用したものである。
図５はこの発明の実施の形態５を示す放電灯点灯装置の回路図である。
図において実施の形態４の図４と同一または相当部分には同一の符号を付し説明を省略する。
【００３５】
ランプ検出回路２は、結合コンデンサＣ１１に並列に接続された抵抗Ｒ１００、Ｒ１０１の直列回路と、抵抗１０１に並列接続されたコンデンサＣ１００と、電源Ｅの正極と負極間に接続された抵抗Ｒ１０２、Ｒ１０３の直列回路と、ベースが抵抗Ｒ１００、Ｒ１０１の接続点に、エミッタが電極Ｅの負極に、コレクタが抵抗Ｒ１０２、Ｒ１０３接続点に接続されたトランジスタＱ１００から構成される。
【００３６】
保護回路４は、放電灯Ｌａの寿命末期等の状態を検出するものであり、チョークコイルＴ１の放電灯Ｌａ側と電源Ｅの負極の間に接続された異常検出回路５、ダイオードＤ０８及びコンデンサＣ０９の直列回路と、コンデンサＣ０９に並列接続された抵抗Ｒ０９と、ベースがダイオードＤ０８とコンデンサＣ０９の接続点に、エミッタが電源Ｅの負極に、コレクタがスイッチング素子Ｑ０２のゲートに接続されたスイッチであるトランジスタＱ１０２から構成され、ランプ検出回路２の出力がダイオードＤ１００を介して保護回路４のトランジスタＱ１０２のベースに接続されている。
【００３７】
次に、動作を説明する。直流電源Ｅを投入すると抵抗Ｒ０４、チョ−クコイルＴ１、放電灯Ｌａの電極ａ、始動コンデンサＣ１２、放電灯Ｌａの電極ｂ、結合コンデンサＣ１１の経路で電流が流れる。このとき、結合コンデンサＣ１１に電圧が発生し、この結合コンデンサＣ１１の電圧をランプ検出回路２では、抵抗Ｒ１００、Ｒ１０１で分圧しその検出電圧で保護回路４のトランジスタＱ１０２をオン、オフさせることにより、起動回路３をオンオフさせている。
【００３８】
正常な放電灯Ｌａが有るときは、結合コンデンサＣ１１に発生した電圧を抵抗Ｒ１００、Ｒ１０１で分圧しその検出電圧でトランジスタＱ１００がオンし、抵抗Ｒ１０３の電圧は０電位となるため、保護回路４のトランジスタＱ１０２がオフとなり、保護回路４は動作せず、起動回路３の双方性ダイオ−ドＴＤ１にはコンデンサＣ０５より起動するのに十分な電圧が印加され起動回路３が起動し、インバータ回路ＩＶの発振が継続する。
【００３９】
インバータ回路ＩＶの発振の開始後、保護回路４の異常検出回路５はチョークコイルＴ１の電圧が正常値を超えたときは、トランジスタＱ１０２のベースにオン信号を出力して、トランジスタＱ１０２がオンとなり、スイッチング素子Ｑ００２のゲート電圧が０電位となり、インバータ回路ＩＶの発振が停止する。
【００４０】
一方、放電灯Ｌａが無かったり、電極が断線していたりすると、電流が流れないため、結合コンデンサＣ１１には電圧が発生せず抵抗Ｒ１００、Ｒ１０１の分圧された検出電圧が発生しないためトランジスタＱ１００がオフし、抵抗Ｒ１０２とダイオードＤ１００を介しての電圧により、保護回路４のトランジスタＱ１０２がオンとなり、保護回路４が動作して、スイッチング素子Ｑ００２のゲート電圧が０電位となり、インバータ回路ＩＶは発振にいたらない。
【００４１】
以上のように、放電灯Ｌａの有無を検出でき、放電灯Ｌａがない場合に不要な発振によりインバータ回路ＩＶの故障を防止できると共に、断線した放電灯Ｌａが装着された場合に強制的に点灯させようとして高電圧が印加されることによるインバータ回路ＩＶの故障を防止することができる。
また、ランプ検出回路２と保護回路４は回路の一部を共用するので、部品点数を減らすことができ、また、高価な素子を使用することなく、また、複雑な制御をすること無く放電灯Ｌａの有無の検出が可能であり、低コスト化ができる。
【００４２】
なお、本実施の形態２〜５は、始動コンデンサＣ１２が別置でない場合を示したが、始動コンデンサＣ１２が別置である場合も、同様な効果を得ることができる。
【００４３】
【発明の効果】
以上のように、この発明によれば、直流電源と、この直流電源から供給される直流を高周波電流に変換する一対のスイッチング素子を有するインバ−タ回路と、このインバ−タ回路に接続されたチョ−クコイル、このチョークコイルに放電灯を介して接続された結合コンデンサ、始動コンデンサからなる放電灯負荷回路及び上記インバータ回路の上記スイッチング素子を駆動する駆動回路と、を備えた放電灯点灯装置において、上記直流電源を投入したときに、上記放電灯の有無又は上記放電灯の電極の断線の有無を上記結合コンデンサの電圧で検出し、この検出電圧に基づいて上記放電灯がないとき又は上記電極が断線しているとき、上記駆動回路を停止させる放電灯検出回路を備えたので、簡単な構成で、小形で安価な部品を用いて、始動コンデンサが別置であっても放電灯の有無を検出でき、放電灯がない場合に不要な発振によりインバータの故障を防止できると共に、断線ランプが装着された場合に強制的に点灯させようとして高電圧が印加されることによるインバータの故障を防止することができる。
【図面の簡単な説明】
【図１】この発明の実施の形態１を示す放電灯点灯装置の構成図である。
【図２】この発明の実施の形態２を示す放電灯点灯装置の構成図である。
【図３】この発明の実施の形態３を示す放電灯点灯装置の回路図である。
【図４】この発明の実施の形態４を示す放電灯点灯装置の回路図である。
【図５】この発明の実施の形態５を示す放電灯点灯装置の回路図である。
【符号の説明】
１、１ａ、１ｂ  駆動回路、２  放電灯検出回路、３  起動回路、４  保護回路、Ｃ１１  結合コンデンサ、Ｃ１２  始動コンデンサ、Ｅ    直流電源、ＩＶインバ−タ回路、Ｑ０１、Ｑ０２  スイッチング素子、Ｑ０３、Ｑ１０１、Ｑ１０２  トランジスタ、Ｔ１  チョ−クコイル、Ｔ１ａ、Ｔ１ｂ  副巻線。
【図１】
2004303530.tif 000003
【図２】
2004303530.tif 000004
【図３】
2004303530.tif 000005
【図４】
2004303530.tif 000006
【図５】
2004303530.tif 000007